(57)【要約】【課題】妨害磁界発生装置の駆動を開始した初期から高レベルの妨害磁界を発生させ続けることのできる磁気記録媒体処理装置、および磁気記録媒体処理装置における妨害磁界の発生方法を提供すること。【解決手段】磁気記録媒体処理装置１において、妨害磁界発生装置４０は、第１電源ライン４６と第２電源ライン４７との間に、スイッチ４３を備えたＨブリッジ回路４３０を設ける。また、第１スイッチ４３１と第２スイッチ４３２との間と第３スイッチ４３３と第４スイッチ４３４との間に共振回路４１を設けるとともに、コイル４１１とキャパシタ４１２との間と第２電源ライン４７との間に第５スイッチ４３５を設けてある。従って、コイル４１１の駆動、コイル４１１を駆動しながらのキャパシタ４１２の充電、およびキャパシタ４１２の放電を利用したコイル４１１の駆動を行うことができる。【選択図】図２
2019012395.tif 000002
【特許請求の範囲】
【請求項１】
磁気記録媒体挿入口と、
前記磁気記録媒体挿入口と繋がる媒体通路と、
前記媒体通路に面して配置される磁気ヘッドと、
前記磁気記録媒体挿入口の外側に妨害磁界を発生させる妨害磁界発生装置と、
を有し、
前記妨害磁界発生装置は、
コイルとキャパシタとが直列に電気的接続された共振回路と、
第１電源ラインと、
前記第１電源ラインと異なる電圧が印加される第２電源ラインと、
前記共振回路の前記第１電源ラインおよび前記第２電源ラインとの接続を切り換える複数のスイッチと、
前記複数のスイッチを制御して、前記第１電源ラインと前記第２電源ラインとの間に、前記第１電源ラインから前記キャパシタを通らずに前記コイルを通って前記第２電源ラインに至る第１電流経路、前記第１電源ラインから前記コイルおよび前記キャパシタを順に通って前記第２電源ラインに至る第２電流経路、および前記第１電源ラインから前記キャパシタおよび前記コイルを順に通って前記第２電源ラインに至る第３電流経路を構成するスイッチ制御部と、
を有することを特徴とする磁気記録媒体処理装置。
【請求項２】
前記複数のスイッチは、前記第１電源ラインに電気的接続された第１スイッチと、前記第１スイッチと前記第２電源ラインとに電気的接続された第２スイッチと、前記第１電源ラインに電気的接続された第３スイッチと、前記第３スイッチと前記第２電源ラインとに電気的接続された第４スイッチと、前記コイルと前記キャパシタとが接続する第１接続ノードと前記第２電源ラインとに電気的接続された第５スイッチと、を含み、
前記共振回路は、前記キャパシタの前記コイルとは反対側が前記第１スイッチと前記第２スイッチとが接続する第２接続ノードに電気的接続する一方、前記コイルの前記キャパシタとは反対側が前記第３スイッチと前記第４スイッチとが接続する第３接続ノードに電気的接続しており、
前記スイッチ制御部は、前記第３スイッチおよび前記第５スイッチをオンにして前記第１電流経路を構成し、前記第２スイッチおよび前記第３スイッチをオンにして前記第２電流経路を構成し、前記第１スイッチおよび前記第４スイッチをオンにして前記第３電流経路を構成することを特徴とする請求項１に記載の磁気記録媒体処理装置。
【請求項３】
前記スイッチ制御部は、前記第３スイッチおよび前記第５スイッチをオンとする一方、前記第１スイッチ、前記第２スイッチ、および前記第４スイッチをオフして前記第１電流経路を構成して前記第２電流経路および第３電流経路を遮断した第１モードと、前記第２スイッチおよび前記第３スイッチをオンとする一方、前記第１スイッチ、前記第４スイッチおよび前記第５スイッチをオフして前記第２電流経路を構成して前記第１電流経路および前記第３電流経路を遮断した第２モードと、前記第１スイッチおよび前記第４スイッチをオンとする一方、前記第２スイッチ、前記第３スイッチおよび前記第５スイッチをオフして前記第３電流経路を構成して前記第１電流経路および前記第２電流経路を遮断した第３モードと、を実現することを特徴とする請求項２に記載の磁気記録媒体処理装置。
【請求項４】
前記スイッチ制御部は、前記第１モード、前記第２モードおよび前記第３モードを実行した後、前記第２モードおよび前記第３モードを交互に繰り返すことを特徴とする請求項３に記載の磁気記録媒体処理装置。
【請求項５】
磁気記録媒体挿入口と、
前記磁気記録媒体挿入口と繋がる媒体通路と、
前記媒体通路に面して配置される磁気ヘッドと、
を有する磁気記録媒体処理装置において前記磁気記録媒体挿入口の外側に妨害磁界を発生させる妨害磁界発生方法であって、
コイルとキャパシタとが直列に電気的接続された共振回路と、
第１電源ラインと、
前記第１電源ラインと異なる電圧が印加される第２電源ラインと、
前記共振回路の前記第１電源ラインおよび前記第２電源ラインとの接続を切り換える複数のスイッチと、
前記複数のスイッチを制御するスイッチ制御部と、
を設け、
前記スイッチ制御部が前記複数のスイッチを制御して、前記第１電源ラインと前記第２電源ラインとの間に、前記第１電源ラインから前記キャパシタを通らずに前記コイルを通って前記第２電源ラインに至る第１電流経路、前記第１電源ラインから前記コイルおよび前記キャパシタを順に通って前記第２電源ラインに至る第２電流経路、および前記第１電源ラインから前記キャパシタおよび前記コイルを順に通って前記第２電源ラインに至る第３電流経路を構成することを特徴とする磁気記録媒体処理装置における妨害磁界発生方法。
【請求項６】
前記複数のスイッチは、前記第１電源ラインに電気的接続された第１スイッチと、前記第１スイッチと前記第２電源ラインとに電気的接続された第２スイッチと、前記第１電源ラインに電気的接続された第３スイッチと、前記第３スイッチと前記第２電源ラインとに電気的接続された第４スイッチと、前記コイルと前記キャパシタとが接続する第１接続ノードと前記第２電源ラインとに電気的接続された第５スイッチと、を含み、
前記共振回路は、前記キャパシタの前記コイルとは反対側が前記第１スイッチと前記第２スイッチとが接続する第２接続ノードに電気的接続する一方、前記コイルの前記キャパシタとは反対側が前記第３スイッチと前記第４スイッチとが接続する第３接続ノードに電気的接続しており、
前記スイッチ制御部は、前記第３スイッチおよび前記第５スイッチをオンにして前記第１電流経路を構成し、前記第２スイッチおよび前記第３スイッチをオンにして前記第２電流経路を構成し、前記第１スイッチおよび前記第４スイッチをオンにして前記第３電流経路を構成することを特徴とする請求項５に記載の磁気記録媒体処理装置における妨害磁界発生方法。
【請求項７】
前記スイッチ制御部は、前記第３スイッチおよび前記第５スイッチをオンとする一方、前記第１スイッチ、前記第２スイッチ、および前記第４スイッチをオフして前記第１電流経路を構成して前記第２電流経路および第３電流経路を遮断した第１モードと、前記第２スイッチおよび前記第３スイッチをオンとする一方、前記第１スイッチ、前記第４スイッチおよび前記第５スイッチをオフして前記第２電流経路を構成して前記第１電流経路および前記第３電流経路を遮断した第２モードと、前記第１スイッチおよび前記第４スイッチをオンとする一方、前記第２スイッチ、前記第３スイッチおよび前記第５スイッチをオフして前記第３電流経路を構成して前記第１電流経路および前記第２電流経路を遮断した第３モードと、を実現することを特徴とする請求項６に記載の磁気記録媒体処理装置における妨害磁界発生方法。
【請求項８】
前記スイッチ制御部は、前記第１モード、前記第２モードおよび前記第３モードを実行した後、前記第２モードおよび前記第３モードを交互に繰り返すことを特徴とする請求項７に記載の磁気記録媒体処理装置における妨害磁界発生方法。
【発明の詳細な説明】
【技術分野】
【０００１】
本発明は、磁気情報が記録されたカード等の磁気記録媒体を搬送して磁気情報の読取りや書込みを行う磁気記録媒体処理装置における妨害磁界の発生技術に関するものである。
【背景技術】
【０００２】
磁気情報が記録されたカード（磁気記録媒体）を取り込み、搬送路に沿ってカードを搬送して、搬送路に配置された磁気ヘッドによって磁気情報の読取りあるいは書込みを行う磁気記録媒体処理装置に対して、カードを挿入する挿入口の外側に磁気ヘッド（スキミングヘッド）を取り付けて不正に磁気情報を取得する不正行為が行われることがある。このような不正行為への対策として、挿入口の外側の領域に妨害磁界を発生させ、磁気情報の不正な読み取りを妨害する妨害磁界発生装置が用いられる。
【０００３】
かかる妨害磁界発生装置として、コイルとキャパシタを並列に接続した共振回路を設け、共振させることにより妨害磁界を発生させる技術が提案されている（特許文献１参照）。また、トランジスタ等のスイッチによってコイルを備えたＨブリッジ回路を構成し、Ｈブリッジ回路とは別に設けたキャパシタとコイルとが直列に電気的接続された状態になった際、駆動電圧とキャパシタに充電された電圧とがコイルに印加されるようにした技術も提案されている（特許文献２参照）。
【先行技術文献】
【特許文献】
【０００４】
【特許文献１】特開２０１６−１４９８６号公報
【特許文献２】特開２０１４−１２８１７５号公報
【発明の概要】
【発明が解決しようとする課題】
【０００５】
特許文献１に記載の技術では、コイルとキャパシタとの並列共振を利用するため、コイルに通電を開始した直後の共振開始において最大の妨害磁界を発生させることができるが、共振が継続中、妨害磁界が低下する。このため、妨害磁界を継続的に発生させる期間では、妨害磁界が小さいという問題点がある。また、共振を中断させるには、共振回路をグランドに接続する必要があるため、グランド接続用のスイッチを設ける必要がある。
【０００６】
特許文献２に記載の技術では、コイルとキャパシタとの直列共振を利用するため、妨害磁界の出力を最大とするには、共振に合わせて、共振回路への電源の投入と電流の排出とを行う必要がある。このため、妨害磁界の出力が最大となるまでに長い時間がかかるので、磁気情報の不正な読み取りが行われるまでに最大の妨害磁界が発生させることができないという問題点がある。
【０００７】
以上の問題点に鑑みて、本発明では、妨害磁界発生装置の駆動を開始した初期から高レベルの妨害磁界を発生させ続けることのできる磁気記録媒体処理装置、および磁気記録媒体処理装置における妨害磁界発生方法を提供することにある。
【課題を解決するための手段】
【０００８】
上記課題を解決するために、本発明の磁気記録媒体処理装置は、磁気記録媒体挿入口と、前記磁気記録媒体挿入口と繋がる媒体通路と、前記媒体通路に面して配置される磁気ヘッドと、前記磁気記録媒体挿入口の外側に妨害磁界を発生させる妨害磁界発生装置と、を有し、前記妨害磁界発生装置は、コイルとキャパシタとが直列に電気的接続された共振回
路と、第１電源ラインと、前記第１電源ラインと異なる電圧が印加される第２電源ラインと、前記共振回路の前記第１電源ラインおよび前記第２電源ラインとの接続を切り換える複数のスイッチと、前記複数のスイッチを制御して、前記第１電源ラインと前記第２電源ラインとの間に、前記第１電源ラインから前記キャパシタを通らずに前記コイルを通って前記第２電源ラインに至る第１電流経路、前記第１電源ラインから前記コイルおよび前記キャパシタを順に通って前記第２電源ラインに至る第２電流経路、および前記第１電源ラインから前記キャパシタおよび前記コイルを順に通って前記第２電源ラインに至る第３電流経路を構成するスイッチ制御部と、を有することを特徴とする。
【０００９】
また、本発明は、磁気記録媒体挿入口と、前記磁気記録媒体挿入口と繋がる媒体通路と、前記媒体通路に面して配置される磁気ヘッドと、を有する磁気記録媒体処理装置において前記磁気記録媒体挿入口の外側に妨害磁界を発生させる妨害磁界発生方法であって、コイルとキャパシタとが直列に電気的接続された共振回路と、第１電源ラインと、前記第１電源ラインと異なる電圧が印加される第２電源ラインと、前記共振回路の前記第１電源ラインおよび前記第２電源ラインとの接続を切り換える複数のスイッチと、前記複数のスイッチを制御するスイッチ制御部と、を設け、前記スイッチ制御部が前記複数のスイッチを制御して、前記第１電源ラインと前記第２電源ラインとの間に、前記第１電源ラインから前記キャパシタを通らずに前記コイルを通って前記第２電源ラインに至る第１電流経路、前記第１電源ラインから前記コイルおよび前記キャパシタを順に通って前記第２電源ラインに至る第２電流経路、および前記第１電源ラインから前記キャパシタおよび前記コイルを順に通って前記第２電源ラインに至る第３電流経路に切り換えることを特徴とする。
【００１０】
本発明では、まず、第１電流経路を構成した際、第１電流経路によってコイルに駆動電圧を印加することができるので、コイルから妨害磁界を発生させることができる。次に、第２電流経路を構成した際には、コイルとキャパシタとが直列に電気的接続された共振回路に通電してコイルから妨害磁界を発生させるとともに、キャパシタが充電する。次に、第３電流経路を構成した際には、キャパシタに充電されているため、コイルとキャパシタとの共振回路は、短時間のうちに共振し、妨害磁界を発生する。かかる共振の際、コイルには駆動電圧に対してキャパシタからの放電電圧が加わった電圧が印加されるので、コイルからは大きな出力の妨害磁界が発生する。従って、第１電流経路を構成した際の電圧をある程度、高い値に設定しておけば、第１電流経路を構成した時点、およびそれ以降、コイルから大きな出力の妨害磁界が発生することができる。それ故、共振回路を利用した際の妨害磁界の立ち上がりの遅さをコイル単独での駆動によってカバーすることができる。よって、スキミングヘッドによって不正に磁気情報を取得する不正行為を阻止することができる。
【００１１】
本発明に係る磁気記録媒体処理装置および妨害磁界発生方法において、前記複数のスイッチは、前記第１電源ラインに電気的接続された第１スイッチと、前記第１スイッチと前記第２電源ラインとに電気的接続された第２スイッチと、前記第１電源ラインに電気的接続された第３スイッチと、前記第３スイッチと前記第２電源ラインとに電気的接続された第４スイッチと、前記コイルと前記キャパシタとが接続する第１接続ノードと前記第２電源ラインとに電気的接続された第５スイッチと、を含み、前記共振回路は、前記キャパシタの前記コイルとは反対側が前記第１スイッチと前記第２スイッチとが接続する第２接続ノードに電気的接続する一方、前記コイルの前記キャパシタとは反対側が前記第３スイッチと前記第４スイッチとが接続する第３接続ノードに電気的接続しており、前記スイッチ制御部は、前記第３スイッチおよび前記第５スイッチをオンにして前記第１電流経路を構成し、前記第２スイッチおよび前記第３スイッチをオンにして前記第２電流経路を構成し、前記第１スイッチおよび前記第４スイッチをオンにして前記第３電流経路を構成する態様を採用することができる。かかる態様によれば、スイッチ（第１スイッチ、第２スイッチ、第３スイッチおよび第４スイッチ）を備えたＨブリッジ回路において、第１スイッチ
と第２スイッチとの間と第３スイッチと第４スイッチとの間に共振回路を設けるとともに、コイルとキャパシタとの間と第２電源ラインとの間に第５スイッチを設けるという簡素な構成で、第１電流経路、第２電流経路、および第３電流経路を構成することができる。
【００１２】
本発明に係る磁気記録媒体処理装置および妨害磁界発生方法において、前記第３スイッチおよび前記第５スイッチをオンとする一方、前記第１スイッチ、前記第２スイッチ、および前記第４スイッチをオフして前記第１電流経路を構成して前記第２電流経路および第３電流経路を遮断した第１モードと、前記第２スイッチおよび前記第３スイッチをオンとする一方、前記第１スイッチ、前記第４スイッチおよび前記第５スイッチをオフして前記第２電流経路を構成して前記第１電流経路および前記第３電流経路を遮断した第２モードと、前記第１スイッチおよび前記第４スイッチをオンとする一方、前記第２スイッチ、前記第３スイッチおよび前記第５スイッチをオフして前記第３電流経路を構成して前記第１電流経路および前記第２電流経路を遮断した第３モードと、を実現する態様を採用することができる。
【００１３】
本発明に係る磁気記録媒体処理装置および妨害磁界発生方法において、前記スイッチ制御部は、前記第１モード、前記第２モードおよび前記第３モードを実行した後、前記第２モードおよび前記第３モードを交互に繰り返す態様を採用することができる。
【発明の効果】
【００１４】
本発明では、まず、第１電流経路を構成した際、第１電流経路によってコイルに駆動電圧を印加することができるので、コイルから妨害磁界を発生させることができる。次に、第２電流経路を構成した際には、コイルとキャパシタとが直列に電気的接続された共振回路に通電してコイルから妨害磁界を発生させるとともに、キャパシタが充電する。次に、第３電流経路を構成した際には、キャパシタに充電されているため、コイルとキャパシタとの共振回路は、短時間のうちに共振し、妨害磁界を発生する。かかる共振の際、コイルには駆動電圧に対してキャパシタからの放電電圧が加わった電圧が印加されるので、コイルからは大きな出力の妨害磁界が発生する。従って、第１電流経路を構成した際の電圧をある程度、高い値に設定しておけば、第１電流経路を構成した時点、およびそれ以降、コイルから大きな出力の妨害磁界が発生することができる。それ故、共振回路を利用した際の妨害磁界の立ち上がりの遅さをコイル単独での駆動によってカバーすることができる。よって、スキミングヘッドによって不正に磁気情報を取得する不正行為を阻止することができる。
【図面の簡単な説明】
【００１５】
【図１】本発明の実施形態に係る磁気記録媒体処理装置を模式的に示す説明図である。
【図２】図１に示す磁気記録媒体処理装置に設けた妨害磁界発生装置の構成を示す説明図である。
【図３】図２に示す妨害磁界発生装置の電流経路を示す説明図である。
【図４】図２に示す妨害磁界発生装置の別の電流経路を示す説明図である。
【図５】図２に示す妨害磁界発生装置の動作を示す説明図である。
【発明を実施するための形態】
【００１６】
図面を参照しながら、本発明を適用した磁気記録媒体処理装置の実施形態を説明する。
【００１７】
（全体構成）
図１は、本発明の実施形態に係る磁気記録媒体処理装置１を模式的に示す説明図であり、図１（ａ）は側方から見た磁気記録媒体処理装置１の概略構成図であり、図１（ｂ）は正面から見た磁気記録媒体処理装置１の概略構成図である。なお、以下の説明において、Ｘ方向およびＹ方向は互いに直交する方向である。Ｙ方向は、搬送路２２が延在する前後
方向であり、Ｙ方向の一方側を前方Ｙ１とし、他方側を後方Ｙ２として説明する。Ｘ方向は搬送路２２の幅方向である。図１（ｂ）は磁気記録媒体処理装置１を前方Ｙ１から見た場合の各部の配置を示している。
【００１８】
図１に示す磁気記録媒体処理装置１は、カードなどの磁気情報が記録された磁気記録媒体２を搬送して、磁気記録媒体２に記録された磁気情報の読取りおよび磁気記録媒体２への磁気情報の書込みの少なくとも一方を行う装置である。磁気記録媒体処理装置１は、例えば、ＡＴＭ（Ａｕｔｏｍａｔｅｄ  Ｔｅｌｌｅｒ  Ｍａｃｈｉｎｅ）等の装置に搭載されて使用される。磁気記録媒体処理装置１は、磁気記録媒体挿入口１１を備えたゲート部１０と、磁気ヘッド２１を備えた装置本体２０を有している。装置本体２０の内部には、磁気記録媒体挿入口１１に繋がる搬送路２２（媒体通路）が形成され、磁気ヘッド２１は搬送路２２に面して配置されている。ゲート部１０には、磁気記録媒体挿入口１１と搬送路２２を繋ぐ磁気記録媒体挿入路１２が形成されている。装置本体２０は、搬送路２２に沿って磁気記録媒体２を搬送する搬送装置３０を備えている。
【００１９】
ゲート部１０は装置本体２０の前面から前方Ｙ１に突出している。磁気記録媒体挿入口１１はゲート部１０の前面に設けられ、幅方向Ｘに延在する。ゲート部１０は、磁気記録媒体挿入口１１の近傍に検知部１３およびプリヘッド１４を備えている。検知部１３は、磁気記録媒体挿入口１１に磁気記録媒体２が挿入されたことを検知する挿入検知機構である。検知部１３としては、挿入された磁気記録媒体２と接触する検知部材を備えている接触式のセンサ、あるいは、光学式のセンサなどが用いられる。プリヘッド１４は、挿入された磁気記録媒体２に磁気情報が記録されていることを検知するための磁気センサを備えている。
【００２０】
ゲート部１０の内側には妨害磁界発生装置４０が配置されており、妨害磁界発生装置４０は、磁気記録媒体挿入口１１の外側、すなわち、磁気記録媒体挿入口１１の前方Ｙ１に妨害磁界を発生させる。妨害磁界発生装置４０は、後述するように、妨害磁界発生用のコイル４１１を備えている。妨害磁界発生装置４０は、コイル４１１への通電のオンオフを切り換えることにより、妨害磁界を発生または停止させる。従って、図１（ａ）に一点鎖線で示すように、磁気記録媒体挿入口１１の外側に磁気ヘッド６１（スキミングヘッド）を備えたスキマー６０を取り付けて不正に磁気情報を取得する不正行為が行われようとした際、妨害磁界によって磁気情報の不正な読み取りを防止することができる。妨害磁界発生装置４０は、磁気記録媒体２に記録される磁気情報に影響を及ぼさない程度の妨害磁界を発生させる。
【００２１】
搬送装置３０は、磁気記録媒体２に接触して磁気記録媒体２を搬送する搬送ローラ３１と、搬送ローラ３１に磁気記録媒体２を押し付ける押圧ローラ３２と、駆動源であるモータ３３と、モータ３３の回転を搬送ローラ３１に伝達する駆動力伝達機構３４とを備えている。搬送ローラ３１は、搬送路２２に沿って前後方向Ｙに所定間隔で複数配置される。複数の搬送ローラ３１は各々、押圧ローラ３２と搬送路２２を挟んで対向する。駆動力伝達機構３４は、搬送ローラ３１の回転軸に取り付けられたプーリにベルトを架け渡した第１ベルト機構３５と、第１ベルト機構３５のプーリのうちの１つにモータ３３の回転を伝達する第２ベルト機構３６を備えている。なお、駆動力伝達機構３４は、このような構成に限定されるものではなく、適宜変更可能である。
【００２２】
複数の搬送ローラ３１は、搬送ローラ３１Ａ、３１Ｃ、３１Ｂを含む。これらのうちで最も前方Ｙ１に位置する搬送ローラ３１Ａは、搬送路２２の前端に配置される。搬送ローラ３１Ａの後方Ｙ２には、搬送ローラ３１Ｂ、３１Ｃがこの順で配置される。磁気ヘッド２１は、搬送ローラ３１Ｂ、３１Ｃの間に配置される。なお、搬送ローラ３１の数は３個以外であってもよく、その配置も図１（ａ）のような配置に限定されるものではない。ま
た、搬送装置３０として搬送ローラ以外の機構を用いることもできる。例えば、ベルト機構によって磁気記録媒体２を搬送することもできる。搬送装置３０は、モータ３３の回転方向および回転速度を制御することにより、磁気記録媒体２の搬送方向や搬送速度等を切り換えることができる。
【００２３】
（制御系）
磁気記録媒体処理装置１は、磁気ヘッド２１、搬送装置３０、および妨害磁界発生装置４０を制御する制御部５０を備えている。制御部５０には、検知部１３およびプリヘッド１４の出力が入力され、制御部５０は、搬送装置３０および妨害磁界発生装置４０を制御して、搬送路２２への磁気記録媒体２の取り込み動作および搬送路２２からの磁気記録媒体２の排出動作を行う。例えば、検知部１３の出力が磁気記録媒体なしを示す信号から磁気記録媒体ありを示す信号に切り換わると、搬送装置３０のモータ３３を低速回転用の回転速度で駆動開始して磁気記録媒体２の搬送を開始するとともに、妨害磁界発生装置４０のコイル４１１への通電を開始して妨害磁界を発生させる。
【００２４】
なお、本形態では、プリヘッド１４によって磁気記録媒体２に磁気情報が記録されていることが検知されるため、制御部５０は、プリヘッド１４の出力に基づいて磁気記録媒体２の搬送およびコイル４１１への通電を開始することもできる。かかる構成によれば、検知部１３を設ける必要がないとともに、挿入された磁気記録媒体２が磁気カードである場合のみ妨害磁界を発生させることができる。
【００２５】
（妨害磁界発生装置４０の構成）
図２は、図１に示す磁気記録媒体処理装置１に設けた妨害磁界発生装置４０の構成を示す説明図である。図３は、図２に示す妨害磁界発生装置４０の電流経路を示す説明図であり、図３（ａ）、（ｂ）は、第１電流経路Ｄ１と第２電流経路Ｄ２とが同時に構成された状態の説明図、および第２電流経路Ｄ２が構成された状態の説明図である。図４は、図２に示す妨害磁界発生装置４０の別の電流経路を示す説明図であり、図４（ａ）、（ｂ）は、第３電流経路Ｄ３が構成された状態の説明図、および第２電流経路Ｄ２が構成された状態の説明図である。
【００２６】
図２に示すように、妨害磁界発生装置４０は、コイル４１１とキャパシタ４１２とが直列に電気的接続された共振回路４１と、第１電源ライン４６と、第１電源ライン４６と異なる電圧が印加される第２電源ライン４７と、第１電源ライン４６および第２電源ライン４７と共振回路４１との接続を切り換える複数のスイッチ４３と、スイッチ４３を制御するスイッチ制御部４５とを有している。コイル４１１としては、コイル線からなる構成、あるいは鉄心にコイル線を巻いた構成を有している。第１電源ライン４６は、直流電源回路（図示せず）から駆動電圧Ｖｄｄが印加され、第２電源ライン４７はＧＮＤに電気的接続されている。
【００２７】
スイッチ制御部４５は、図３および図４を参照して後述するように、複数のスイッチ４３を制御して、第１電源ライン４６と第２電源ライン４７との間に、第１電源ライン４６からキャパシタ４１２を通らずにコイル４１１を通って第２電源ライン４７に至る第１電流経路Ｄ１と、第１電源ライン４６からコイル４１１およびキャパシタ４１２を順に通って第２電源ライン４７に至る第２電流経路Ｄ２、および第１電源ライン４６からキャパシタ４１２およびコイル４１１を順に通って第２電源ライン４７に至る第３電流経路Ｄ３とを構成する。
【００２８】
より具体的には、複数のスイッチ４３は、第１電源ライン４６に電気的接続された第１スイッチ４３１と、第１スイッチ４３１と第２電源ライン４７とに電気的接続された第２スイッチ４３２とを含み、第１スイッチ４３１と第２スイッチ４３２とは、第１電源ライ
ン４６と第２電源ライン４７との間に直列に電気的接続されている。また、複数のスイッチ４３は、第１電源ライン４６に電気的接続された第３スイッチ４３３と、第３スイッチ４３３と第２電源ライン４７とに電気的接続された第４スイッチ４３４とを含み、第３スイッチ４３３と第４スイッチ４３４とは、第１電源ライン４６と第２電源ライン４７との間に直列に電気的接続されている。また、複数のスイッチ４３は、コイル４１１とキャパシタ４１２とが接続する第１接続ノード４４１と第２電源ライン４７とに電気的接続された第５スイッチ４３５を含んでいる。共振回路４１は、キャパシタ４１２のコイル４１１とは反対側が第１スイッチ４３１と第２スイッチ４３２とが接続する第２接続ノード４４２に電気的接続している一方、コイル４１１のキャパシタ４１２とは反対側は、第３スイッチ４３３と第４スイッチ４３４とが接続する第３接続ノード４４３に電気的接続している。
【００２９】
すなわち、第１電源ライン４６と第２電源ライン４７との間には、スイッチ４３（第１スイッチ４３１、第２スイッチ４３２、第３スイッチ４３３および第４スイッチ４３４）を備えたＨブリッジ回路４３０が設けられているとともに、第１スイッチ４３１と第２スイッチ４３２とが接続する第２接続ノード４４２と第３スイッチ４３３と第４スイッチ４３４とが接続する第３接続ノード４４３との間に共振回路４１が設けられている、また、Ｈブリッジ回路４３０においてコイル４１１とキャパシタ４１２とが接続する第１接続ノード４４１と第２電源ライン４７との間に第５スイッチ４３５が設けられている。
【００３０】
従って、スイッチ制御部４５は、図３（ａ）を参照して後述するように、第３スイッチ４３３および第５スイッチ４３５をオンとする一方、第１スイッチ４３１、第２スイッチ４３２および第４スイッチ４３４をオフにして第１電流経路Ｄ１を構成する。また、スイッチ制御部４５は、図３（ａ）、（ｂ）を参照して後述するように、第２スイッチ４３２および第３スイッチ４３３をオンとする一方、第１スイッチ４３１、第４スイッチ４３４および第５スイッチ４３５をオフにして第２電流経路Ｄ２を構成する。また、スイッチ制御部４５は、図４（ａ）を参照して後述するように、第１スイッチ４３１および第４スイッチ４３４をオンとする一方、第２スイッチ４３２、第３スイッチ４３３および第５スイッチ４３５をオフにして第３電流経路Ｄ３を構成する。さらに、スイッチ制御部４５は、図４（ｂ）を参照して後述するように、第３電流経路Ｄ３を構成している状態から、再び、第２スイッチ４３２および第３スイッチ４３３をオンとする一方、第１スイッチ４３１、第４スイッチ４３４および第５スイッチ４３５をオフにして第２電流経路Ｄ２を構成する。
【００３１】
本形態において、スイッチ４３（第１スイッチ４３１、第２スイッチ４３２、第３スイッチ４３３、第４スイッチ４３４および第５スイッチ４３５）は、バイポーラトランジスタ等からなり、スイッチ制御部４５は、バイポーラトランジスタのベースに印加する制御信号を制御する。また、スイッチ４３（第１スイッチ４３１、第２スイッチ４３２、第３スイッチ４３３、第４スイッチ４３４および第５スイッチ４３５）が電界効果型トランジスタや、電界効果型トランジスタをベースに組み込んだ絶縁ゲートバイポーラトランジスタからなる態様を採用することができ、この場合、スイッチ制御部４５は、電界効果型トランジスタのＭＯＳ電極に印加する制御信号を制御する。
【００３２】
（動作）
図５は、図２に示す妨害磁界発生装置４０の動作を示す説明図であり、スイッチ４３のｏｎ・ｏｆｆ状態を示してある。
【００３３】
図２に示す妨害磁界発生装置において、磁気記録媒体２が挿入されていない休止モードＭ０において、スイッチ制御部４５は、第１スイッチ４３１、第２スイッチ４３２、第３スイッチ４３３、第４スイッチ４３４、および第５スイッチ４３５はオフ状態とする。
【００３４】
そして、磁気記録媒体２が挿入されると、制御部５０は、検知部１３の出力、あるいはプリヘッド１４に出力に基づいて、妨害磁界発生装置４０に妨害磁界を発生させるように指令する。かかる指令に基づいて、スイッチ制御部４５は、図３（ａ）および図５に示す第１モードＭ１において、第２スイッチ４３２、第３スイッチ４３３および第５スイッチ４３５をオンとする一方、第１スイッチ４３１および第４スイッチ４３４をオフにして第１電流経路Ｄ１を構成し、第２電流経路Ｄ２および第３電流経路Ｄ３を遮断する。かかる第１モードＭ１において、駆動電圧Ｖｄｄは電圧Ｖａである。その結果、コイル４１１に駆動電圧Ｖｄｄ（電圧Ｖａ）が印加されるので、コイル４１１は妨害磁界を発生させる。
【００３５】
次に、スイッチ制御部４５は、図３（ｂ）および図５に示す第２モードＭ２において、第２スイッチ４３２および第３スイッチ４３３をオンとする一方、第１スイッチ４３１、第４スイッチ４３４および第５スイッチ４３５をオフにして第２電流経路Ｄ２を構成し、第１電流経路Ｄ１および第３電流経路Ｄ３を遮断する。かかる第２モードＭ２において、駆動電圧Ｖｄｄは、駆動電圧Ｖｄｄは電圧Ｖａである。かかる第２モードＭ２においては、コイル４１１から妨害磁界を発生させながらキャパシタ４１２の充電を行う。
【００３６】
次に、スイッチ制御部４５は、図４（ａ）および図５に示す第３モードＭ３において、第１スイッチ４３１および第４スイッチ４３４をオンとする一方、第２スイッチ４３２、第３スイッチ４３３および第５スイッチ４３５をオフにして第３電流経路Ｄ３を構成し、第１電流経路Ｄ１および第２電流経路Ｄ２を遮断する。かかる第３モードＭ３において、駆動電圧Ｖｄｄは、電圧Ｖａより低い電圧Ｖｂである。その際、キャパシタ４１２には、既に充電されているので、コイル４１１とキャパシタ４１２との共振回路４１は、短時間のうちに共振し、妨害磁界を発生する。かかる共振の際、コイル４１１には駆動電圧Ｖｄｄに対してキャパシタ４１２からの放電電圧が加わった電圧が印加されるので、コイル４１１からは大きな出力の妨害磁界が発生する。従って、第１電流経路Ｄ１を構成した際の電圧をある程度、高い値に設定しておけば、コイル４１１から大きな出力の妨害磁界が発生することができる。また、キャパシタ４１２では、図３（ｂ）に示す第２モードＭ２とは逆極性の充電が行われる。それ故、以降、第２モードＭ２と第３モードＭ３を繰り返せば、コイル４１１から大きな妨害磁界を発生させることができる。
【００３７】
すなわち、スイッチ制御部４５は、図４（ｂ）および図５に示すように、第３モードＭ３を実行した後、再び、第２モードＭ２を実現する。より具体的には、第２スイッチ４３２および第３スイッチ４３３をオンとする一方、第１スイッチ４３１、第４スイッチ４３４および第５スイッチ４３５をオフにして第２電流経路Ｄ２を構成し、第１電流経路Ｄ１および第３電流経路Ｄ３を遮断する。かかる第２モードＭ２において、駆動電圧Ｖｄｄは電圧Ｖｂである。その際、キャパシタ４１２には、既に充電されているので、コイル４１１とキャパシタ４１２との共振回路４１は、短時間のうちに共振し、妨害磁界を発生する。かかる共振の際、コイル４１１には駆動電圧Ｖｄｄに対してキャパシタ４１２からの放電電圧が加わった電圧が印加されるので、コイル４１１からは大きな出力の妨害磁界が発生する。なお、本形態では、磁気記録媒体２が挿入される際に妨害磁界を発生させたが、磁気記録媒体２が挿入される際、および磁気記録媒体２が排出される際の双方において妨害磁界を発生させてもよい。
【００３８】
（本形態の主な効果）
以上説明したように、本形態の磁気記録媒体処理装置１および妨害磁界の発生方法では、まず、第１モードＭ１で第１電流経路Ｄ１を構成した際、コイル４１１に駆動電圧Ｖｄｄを印加することができるので、コイル４１１から妨害磁界を発生させることができる。次に、第２モードＭ２で第２電流経路Ｄ２を構成した際には、コイル４１１とキャパシタ４１２とが直列に電気的接続された共振回路４１に通電してコイル４１１から妨害磁界を
発生させるとともに、キャパシタ４１２を充電する。次に、第３モードＭ３で第３電流経路Ｄ３を構成した際には、キャパシタ４１２が既に充電されているため、コイル４１１とキャパシタ４１２との共振回路４１は、短時間のうちに共振し、妨害磁界を発生する。かかる共振の際、コイル４１１には駆動電圧Ｖｄｄに対してキャパシタ４１２からの放電電圧が加わった電圧が印加されるので、コイル４１１からは大きな出力の妨害磁界が発生する。従って、第１電流経路Ｄ１を構成した際の電圧をある程度、高い値に設定しておけば、第１電流経路Ｄ１を構成した時点、およびそれ以降、コイルから大きな出力の妨害磁界が発生することができる。また、第３電流経路Ｄ３が構成されている間、キャパシタ４１２には、第２電流経路Ｄ２を構成した際とは逆極性の充電が行われる。従って、所定のタイミングで第２電流経路Ｄ２を構成すれば、第３電流経路Ｄ３を構成した場合と逆極性の電圧がコイル４１１に印加され、その際の電圧は、駆動電圧に対してキャパシタ４１２からの放電電圧が加わった電圧である。従って、コイル４１１からは、直列共振による大きな出力の妨害磁界が発生する。それ故、第１電流経路Ｄ１を構成した際の電圧をある程度、高い値に設定しておけば、第１電流経路Ｄ１を構成した時点、およびそれ以降、コイル４１１から大きな出力の妨害磁界が発生することができる。よって、共振回路４１を利用した際の妨害磁界の立ち上がりの遅さをコイル４１１単独での駆動によってカバーすることができるので、図１に示すスキマー６０によって不正に磁気情報を取得する不正行為を適切に阻止することができ、セキュリティ性能を向上することがでる。
【００３９】
また、本形態では、スイッチ４３（第１スイッチ４３１、第２スイッチ４３２、第３スイッチ４３３および第４スイッチ４３４）を備えたＨブリッジ回路４３０を利用しているため、上記の電流経路の構成および切り換えを行うことができる。
【００４０】
（他の実施の形態）
上記形態は、本発明の好適な形態の一例ではあるが、これに限定されるものではなく、本発明の要旨を変更しない範囲において変形が可能である。
【符号の説明】
【００４１】
１…磁気記録媒体処理装置、２…磁気記録媒体、１０…ゲート部、１１…磁気記録媒体挿入口、１２…磁気記録媒体挿入路、１３…検知部、１４…プリヘッド、２０…装置本体、２１、６１…磁気ヘッド、２２…搬送路（媒体通路）、３０…搬送装置、３３…モータ、３４…駆動力伝達機構、４０…妨害磁界発生装置、４１…共振回路、４３…スイッチ、４５…スイッチ制御部、４６…第１電源ライン、４７…第２電源ライン、５０…制御部、６０…スキマー、４１１…コイル、４１２…キャパシタ、４３０…Ｈブリッジ回路、４３１…スイッチ（第１スイッチ）、４３２…スイッチ（第２スイッチ）、４３３…スイッチ（第３スイッチ）、４３４…スイッチ（第４スイッチ）、４３５…スイッチ（第５スイッチ）、４４１…第１接続ノード、４４２…第２接続ノード、４４３…第３接続ノード、Ｄ１…第１電流経路、Ｄ２…第２電流経路、Ｄ３…第３電流経路、Ｍ１…第１モード、Ｍ２…第２モード、Ｍ３…第３モード
【図１】
2019012395.tif 000003
【図２】
2019012395.tif 000004
【図３】
2019012395.tif 000005
【図４】
2019012395.tif 000006
【図５】
2019012395.tif 000007